(57)【特許請求の範囲】
【請求項１】
原水が導入される貯水槽あるいは貯水池内に設置される濾過ユニットであって、上記貯水槽あるいは貯水池内の原水中に浸漬される筒状のケーシングと、このケーシング内に収容される膜モジュールとを備え、上記ケーシングには、上記貯水槽あるいは貯水池の開口縁部または該貯水槽あるいは貯水池上に渡された支持部に掛止され、該ケーシングを上記原水中に懸架して支持する剛体材製の支持部材が取り付けられており、
上記支持部材は、上記開口縁部または上記支持部に掛止される掛止部と、この掛止部から延びて上記ケーシングに取り付けられる懸架部とを備えていて、
上記懸架部は、上記ケーシングに取り付けられる第１懸架部と、この第１懸架部の上端部に取り付けられて先端に上記掛止部が設けられる、上記第１懸架部とは別体の第２懸架部とから構成されていて、
この第２懸架部の基端部が上記第１懸架部の上記上端部にピンによって回動自在に支持されることにより、この第２懸架部が上記掛止部ごと上記ケーシングの上側開口部上から外側へ向かう方向に回動可能に上記ケーシングに取り付けられていることを特徴とする濾過ユニット。
【請求項２】
上記支持部材または上記ケーシングには、このケーシングの上端部側に、さらに上記開口縁部または上記支持部に掛止される第２掛止部が配設可能とされていることを特徴とする請求項１に記載の濾過ユニット。
【発明の詳細な説明】
【技術分野】
【０００１】
本発明は、例えば下水処理場などにおいて下水や汚水を膜分離活性汚泥法により処理する際に、これら下水や汚水等の原水が導入される貯水槽あるいは貯水池（以下、貯水槽等と称する。）内に設置されて上記原水を濾過処理するための濾過ユニットに関するものである。
【背景技術】
【０００２】
膜分離活性汚泥法に使用する膜分離装置として、例えば特許文献１には、内部に膜カートリッジを収納した膜ケースを槽内に吊り下げて配置し、膜ケースに二重構造状に嵌合する散気ケースを上下に摺動自在に設けた膜分離装置が提案されており、上記膜ケースの両側部には、散気ケースの下方に配置された散気管に接続されて立設された給気管および散気ドレン管に係合するガイド部が設けられるともに、散気ケースには、膜ケースの側面に設けたガイド部に係合する係合部が設けられている。特許文献１によれば、このような膜分離装置では、当該膜分離装置を槽内に挿脱する際に上記吸気管および散気ドレン管をガイド手段として槽内の定位置に容易に配置することができるとともに、散気ケースも散気管の上方位置に正確に位置決めでき、さらに膜分離装置を槽外に取り出して床置きした場合に、散気ケース内に膜ケースを収容することができるため装置高さが低くなり、膜ケースに収容した膜カートリッジの着脱およびメンテナンスが容易となるとされている。
【特許文献１】特開２００２−１８６８３８号公報
【発明の開示】
【発明が解決しようとする課題】
【０００３】
しかしながら、この特許文献１に記載のものでは、上述のように吸気管および散気ドレン管によってガイドされた膜ケースおよび散気ケースを、索体によって槽内に吊り下げて支持しており、膜ケースは吸気管および散気ドレン管にガイド部により係合しているだけであるので、膜ケースおよび散気ケースと膜ケース内に収納された膜カートリッジとが槽内において不安定となることが避けられない。特に、膜分離活性汚泥法では、散気ケースの下方に設けられた散気管から常に空気が噴出させられて原水が曝気されるとともに活性汚泥に酸素が供給されることになるが、こうして原水が常に曝気されて激しく攪拌されると、散気管の直上の膜ケースや散気ケース、そして膜カートリッジも激しく揺り動かされ、これによりケースが吸気管および散気ドレン管に衝突してこれらの損傷を招いたり、場合によっては膜カートリッジ自体が破損したりしてしまうおそれがある。
【０００４】
本発明は、このような背景の下になされたもので、特に膜分離活性汚泥法における原水の濾過に用いられる濾過ユニットにおいて、常に原水が曝気されて激しく攪拌されていてもケーシングや膜モジュールに破損等を招いたりすることのない濾過ユニットを提供することを目的としている。
【課題を解決するための手段】
【０００５】
上記課題を解決して、このような目的を達成するために、本発明は、原水が導入される貯水槽等内に設置される濾過ユニットであって、上記貯水槽等内の原水中に浸漬される筒状のケーシングと、このケーシング内に収容される膜モジュールとを備え、上記ケーシングに、上記貯水槽等の開口縁部または該貯水槽等の上に渡された支持部に掛止され、該ケーシングを上記原水中に懸架して支持する剛体材製の支持部材を取り付け、上記支持部材には、上記開口縁部または上記支持部に掛止される掛止部と、この掛止部から延びて上記ケーシングに取り付けられる懸架部とを備えて、上記懸架部を、上記ケーシングに取り付けられる第１懸架部と、この第１懸架部の上端部に取り付けられて先端に上記掛止部が設けられる、上記第１懸架部とは別体の第２懸架部とから構成し、この第２懸架部の基端部を上記第１懸架部の上記上端部にピンによって回動自在に支持することにより、この第２懸架部を上記掛止部ごと上記ケーシングの上側開口部上から外側へ向かう方向に回動可能に上記ケーシングに取り付けたことを特徴とする。
【発明の効果】
【０００６】
従って、このような濾過ユニットにおいては、ケーシングが剛体材製の支持部材によって支持されて原水中に懸架され、この支持部材は貯水槽等の外の開口縁部または該貯水槽等上に渡された支持部に掛止されるので、剛性の高いこの支持部材を介してケーシングを強固に貯水槽等内に支持することができる。このため、たとえ膜分離活性汚泥法において当該濾過ユニットが設置された貯水槽等内の下水や汚水等の原水が曝気により常に激しく攪拌されていても、この原水中に浸漬されたケーシングが揺り動かされるのは抑えることができ、これにより、ケーシングや該ケーシング内に収容された膜モジュールなどに破損等が生じたりするのを防ぐことが可能となる。
【０００７】
ここで、上記支持部材としては、必要な剛性を確保しつつも徒に重量が増大するのを避けるため、金属製の筒状材やアングル材、チャンネル材、各種断面形状の条材などにより形成されるのが望ましい。そして、特に膜分離活性汚泥法における濾過処理では、ケーシングおよび膜モジュールが原水中に完全に浸漬するように濾過ユニットが設置されて曝気による原水の循環がなされるので、このような状態でケーシングを貯水槽等の開口縁部や支持部から懸架して確実に支持するのに、上記支持部材は、上記開口縁部または上記支持部に掛止される掛止部と、この掛止部から延びて上記ケーシングに取り付けられる懸架部とを備えたものとする。
【０００８】
ところで、このような濾過ユニットにおいて、例えば上記膜モジュールの保守、点検や交換を行う際には、上記支持部材およびケーシングごと濾過ユニットを原水中から引き上げて作業を行うことになるが、ケーシングの上側開口部からこのような作業が可能である場合には、濾過ユニット全体を完全に原水中から引き上げて搬出したりすることなく、この上側開口部が原水から浮き出た状態で作業ができれば簡便である。そこで、このような場合、上記支持部材または上記ケーシングには、このケーシングの上端部側に、さらに上記開口縁部または上記支持部に掛止される第２掛止部を配設可能とすることにより、この第２掛止部によってケーシングを直接あるいは支持部材を介して支持して、上述のような作業を行うことが可能となる。
【０００９】
そして、さらに本発明では、このようにケーシングの上側開口部が原水上に浮き出た状態で作業を行う場合や、あるいは濾過ユニットを貯水槽等から搬出して作業を行う場合でも、上記懸架部を、上記ケーシングに取り付けられる第１懸架部と、この第１懸架部の上端部に取り付けられて先端に上記掛止部が設けられる、上記第１懸架部とは別体の第２懸架部とから構成し、この第２懸架部の基端部を上記第１懸架部の上記上端部にピンによって回動自在に支持することによって上記ケーシングの上側開口部上から外側へ向かう方向に回動可能に上記ケーシングに取り付けることにより、作業時にはこうして懸架部を外側に回動して開いた状態とすることで、膜モジュールの保守、点検、交換等の作業を一層容易に行うことができる。
【発明を実施するための最良の形態】
【００１０】
図１ないし図３は本発明の濾過ユニットの実施の形態を説明する上での第１の参考例を示すものである。本参考例の濾過ユニット１は、上述のように下水処理場などにおいて下水や汚水等の原水を膜分離活性汚泥法により処理する際に用いられるものであって、図３左側に示すようにこの原水Ｗが導入される貯水槽Ａ内に設置される。ここで、図３において図号Ｂで示すのは上記貯水槽Ａの開口縁部であり、貯水槽Ａを挟んで互いに反対側に位置する開口縁部Ｂ間には、図２に示すような角パイプあるいはＨ型、Ｉ型鋼等からなる棒状の支持部Ｃが一対平行に貯水槽Ａ上を掛け渡されていて、本参考例の濾過ユニット１はこれらの支持部Ｃに掛止されて貯水槽Ａ内に懸架されている。
【００１１】
この濾過ユニット１は、図１に示すように上下が開口した筒状のケーシング２内に膜モジュール３が収容されたものとされており、そしてこのケーシング２に取り付けられた支持部材４によって上記支持部Ｃに掛止され、該ケーシング２を上記原水Ｗ中に懸架するようにして支持されている。ここで、ケーシング２は、本参考例ではステンレス等の耐蝕性の高い金属材などにより、平面視に長方形状をなし、かつその高さがこの長方形の長・短辺の長さに対して大きくされた縦長の矩形筒状に形成されていて、図３に示すようにその上端部が貯水槽Ａ内に保持された原水Ｗの水面部Ｈよりも下方に位置するようにして該原水Ｗ中に浸漬される。
【００１２】
また、膜モジュール３は、例えば中空糸膜をスクリーン状に張ったエレメントや平膜状の分離膜を有するエレメントを多数積層したり、あるいは管状のセラミック膜エレメントを多数本束ねたりしてなるものであって、図３に示すようにケーシング２の内壁面との間に間隔をあけるようにして該ケーシング２内に取り付けられている。なお、この膜モジュール３には、原水Ｗから濾過された膜濾過水を排出する図示されない膜濾過水管が接続されている。また、この膜モジュール３の下方には、望ましくはケーシング２内に、やはり図示されない散気装置が備えられており、この散気装置から散気された空気によって貯水槽Ａ内の原水Ｗが、ケーシング２内を上昇しつつ膜モジュール３により濾過され、さらにケーシング２の上端部から外側を下降して再び上昇するといった循環流を形成するとともに、該原水Ｗに酸素が供給されるようになされている。
【００１３】
一方、上記支持部材４は、ケーシング２と同様にステンレスのような鋼材等の金属材よりなる筒状材によって構成されていて、本参考例では図１ないし図３に示すように断面矩形の筒状材（角パイプ）により形成されており、ケーシング２や膜モジュール３を含む濾過ユニット１の荷重を実質的に撓み無く支持可能な剛体材製とされている。なお、このように濾過ユニット１を支持可能であれば、支持部材４は断面Ｌ型のアングル材、断面「コ」字状のチャンネル材、あるいは断面Ｈ型やＩ型の条材とされていてもよく、これらの組み合わせであってもよい。
【００１４】
このような支持部材４が、本参考例ではケーシング２が平面視になす上記長方形の４つの角部に、溶接等による接合あるいはボルト止め等による締結によって取り付けられている。ここで、各支持部材４は互いに同形同大とされて、貯水槽Ａに掛け渡された上記支持部Ｃに掛止される掛止部５と、この掛止部５から延びて上記ケーシング２に取り付けられ、該ケーシング２を上述のように原水Ｗ中に浸漬して懸架する懸架部６とから構成されている。懸架部６は上述のような金属筒状材によりケーシング２の高さよりも長尺に形成されて、その長手方向を上記角部におけるケーシング２の側面同士の交差稜線に沿わせるようにして取り付けられ、その下端はケーシング２の下端の位置と同じ位置とされるとともに上端部はケーシング２の上端よりも突出するようにされている。
【００１５】
上記掛止部５は、この懸架部６よりも短尺とされて、ケーシング２が平面視になす上記長方形の短辺の両端角部に位置する支持部材４同士で、懸架部６に対して垂直にこの短辺方向外側に突出するように、該懸架部６の上端にやはり溶接やボルト止め等により取り付けられている。ここで、図２に示すように貯水槽Ａ上に平行に掛け渡された上記一対の支持部Ｃの両内側面間の間隔Ｌは、ケーシング２の上記短辺両端に取り付けられた支持部材４の懸架部６の該短辺方向の両外側面が上記内側面間に丁度嵌り込む程度に、該両外側面間の幅Ｍよりも大きくされ、かつこれらの懸架部６上端から突出した掛止部５の突端間の間隔Ｎは、上記間隔Ｌよりも大きく、例えば上記一対の支持部Ｃの両外側面間の間隔と等しくされている。
【００１６】
こうして支持部材４が取り付けられた濾過ユニット１は、ケーシング２が平面視になす上記長方形の長辺を上記一対の支持部Ｃに平行にして、これら一対の支持部Ｃの間に上方から挿入可能とされ、各支持部材４の掛止部５が支持部Ｃ上に載置された状態で、ケーシング２および膜モジュール３が上述のように原水Ｗ中に浸漬されて貯水槽Ａ内に設置される。なお、支持部Ｃ上に載置された掛止部５は、ボルト止めなどによって支持部Ｃに着脱可能に取り付けられてもよい。また、膜モジュール３の保守、点検や交換を行う際には、濾過ユニット１が膜モジュール３ごと上方に引き上げられ、図３に示すように貯水槽Ａ外に搬出されて作業が行われる。
【００１７】
そして、上記構成の濾過ユニット１では、膜モジュール３を収容したケーシング２が、剛体材製の支持部材４によって支持されて原水Ｗ中に懸架されているので、このケーシング２および膜モジュール３を原水Ｗ内で強固に支持することができる。このため、上述のような膜分離活性汚泥法において貯水槽Ａ内の原水Ｗが上記散気装置からの散気により常に激しく攪拌されていたとしても、ケーシング２やこれに収容された膜モジュール３等が揺り動かされて大きく振動するのは抑制することができ、このような振動により膜モジュール３が上記膜濾過水管や散気装置に空気を送る供給管等にぶつかってこれらが損傷したり、あるいは膜モジュール３自体に破損が生じたりするのを防ぐことができる。
【００１８】
また、上記支持部材４は、ステンレス等の金属製の筒状体またはアングル材、チャンネル材、断面Ｈ型やＩ型の条材によって形成されているので、このようにケーシング２や膜モジュール３を懸架して支持するのに十分な剛性を確保しながらも、この支持部材４を含めた濾過ユニット１全体の重量が必要以上に大きくなるのは防ぐことができる。しかも、本参考例ではこの支持部材４が、ケーシング２に取り付けられて該ケーシング２を原水Ｗ中に懸架する懸架部６と、この懸架部６の上端部に取り付けられて、貯水槽Ａ上に渡された支持部Ｃに載置されて掛止される掛止部５とを備えているので、膜分離活性汚泥法において上記散気装置により循環する原水Ｗ中にあってケーシング２や膜モジュール３を確実に支持しつつ、例えば上述のように膜モジュール３の保守、点検、交換などの際に濾過ユニット１を貯水槽Ａから搬出するときには濾過ユニット１を直上に引き上げて移送すればよく、引き上げのための設備やその操作が比較的簡略に済むので経済的である。
【００１９】
ところで、本参考例では、この支持部材４の上記懸架部６が一体角筒状すなわち角パイプ状とされていて、ケーシング２の上端から真っ直ぐ上方に延びるようにケーシング２に取り付けられ、その上端に掛止部５が設けられた構成とされているが、このように膜モジュール３の保守、点検や交換を行う場合には、ケーシング２の上側開口部周辺はできるだけ開放された状態とされるのが、作業の上で望ましい。
【００２０】
そこで、このような作業性を確保するのに、図４に示す本発明の第１の実施形態の濾過ユニット１１では、上記懸架部６が、ケーシング２の上側開口部上から外側へ向かう方向に回動可能にケーシング２に取り付けられている。なお、この第１の実施形態を初め、以降に説明する第２の参考例および第２の実施形態でも、第１の参考例と共通する部分には同一の符号を配して説明を省略する。
【００２１】
すなわち、上記第１の実施形態においては、各支持部材４の懸架部６が、第１の参考例と同様にケーシング２に取り付けられる第１懸架部６Ａと、この第１懸架部６Ａの上端部に取り付けられて先端に掛止部５が設けられる、第１懸架部６Ａとは別体の第２懸架部６Ｂとから構成されていて、この第２懸架部６Ｂの基端部が第１懸架部６Ａの上記上端部に、ピン１２によって回動自在に支持されることにより、この第２懸架部６Ｂが掛止部５ごと図４に示すようにケーシング２の上側開口部上から外側へ向かう方向に回動可能とされている。なお、本実施形態ではピン１２が、ケーシング２が平面視になす上記長方形の長辺に平行に打ち込まれて、この長辺に垂直な面内で第２懸架部６Ｂが、第１懸架部６Ａから一直線上に上方に延びた状態と、この第１懸架部に対して垂直となるように水平に延びた状態との間の９０°の範囲で回動可能とされ、かつそれぞれの状態で位置決め可能とされている。
【００２２】
従って、このような第１の実施形態では、上述のような作業を行う際に、懸架部６の第２懸架部６Ｂを回動させることによりケーシング２の上側開口部周辺から離間させ、このケーシング２の上側の空間を開放することができるので、保守、点検、あるいは濾過モジュール３の交換等の作業を、支持部材４に邪魔されずに容易に行うことが可能となる。なお、本実施形態では上述のように第２懸架部６Ｂが上記長方形の長辺に垂直な面内で回動可能とされているが、短辺に垂直な面内や他の方向に回動可能とされていてもよく、この回動の方向を限定するものではない。また、原水Ｗ中に浸漬した状態での安定性を高めるには、第２懸架部６Ｂが第１懸架部６Ａと一直線上に上方に延びた状態で、例えば角筒状の両懸架部６Ａ，６Ｂの一方から他方に嵌挿されるロック部材をスライド可能に備えるなどして、第２懸架部６Ｂの回動を拘束することによりこの状態を保持するロック機構を両懸架部６Ａ，６Ｂの連結部分に設けたりするのが望ましい。
【００２３】
一方、上述のような作業のうち軽微な保守、点検作業を行う場合や、膜モジュール３の交換でも個々のエレメントのみを数枚程度交換するような場合には、濾過ユニット１全体を完全に原水Ｗから引き上げて貯水槽Ａから搬出した上で作業を行わなくても、ケーシング２をその上記上側開口部が例えば支持部Ｃより上方に位置する程度に原水Ｗから浮き出た状態に保持できれば、この支持部Ｃから作業を行うことができて効率的である。
【００２４】
そこで、図５および図６に示す本発明の実施の形態を説明する上での第２の参考例の濾過ユニット２１、および図７に示す本発明の第２の実施形態の濾過ユニット３１では、このような作業に対応して、上記支持部材４のケーシング２における上端部側に、この支持部材４上端の上記掛止部５とは別に、上記支持部Ｃに掛止される第２掛止部２２が配設可能とされていることを特徴としている。なお、このうち第２の参考例は、支持部材４の懸架部６が一体角筒状とされた第１の参考例にこの第２掛止部２２を配設可能としたものであり、そして、第２の実施形態は、懸架部６が第１懸架部６Ａの上端部に第２懸架部６Ｂが回動可能に取り付けられた本発明の第１の実施形態に第２掛止部２２を配設可能としたものであって、この第１の実施形態と共通する部分には同一の符号を配してある。
【００２５】
この第２掛止部２２は例えば、ケーシング２の上端部側において各支持部材４の上記懸架部６またはその第１懸架部６Ａの上記短辺方向外側を向く面に設けられた取付孔部２２Ａと、この取付孔部２２Ａに挿脱可能に嵌め込まれる肉厚板状あるいは角柱状の掛止部材２２Ｂとによって構成されて、取付孔部２２Ａが支持部Ｃの上面より上方に位置するように濾過ユニット２１，３１が図３に矢線で示すように引き上げられた状態で、各取付孔部２２Ａに掛止部材２２Ｂが嵌め込まれることにより、上記短辺方向外側を向く面から突出して支持部材４に配設可能とされる。そして、このように各支持部材４の取付孔部２２Ａに嵌め込まれた掛止部材２２Ｂ同士は１の水平面内において上記短辺方向に延び、該短辺方向両側の掛止部材２２Ｂ同士の先端間の幅が、掛止部５の突端間の上記間隔Ｎと同じく一対の支持部Ｃの両内側面間の間隔Ｌよりも大きくされる。
【００２６】
従って、こうして掛止部材２２Ｂが取付孔部２２Ａに嵌め込まれて第２掛止部２２が配設された状態で濾過ユニット２１，３１を降下させると、これらの第２掛止部２２の掛止部材２２Ｂが支持部Ｃ上に載置されることにより、図６に示すようにケーシング２の上端部が原水Ｗの水面部Ｈから浮き出た状態で濾過ユニット２１，３１が保持されるので、そのまま上述のように保守、点検作業や膜モジュール３のエレメント交換作業などを支持部Ｃの上から行うことが可能となる。また、作業終了後は濾過ユニット２１，３１を一旦僅かに引き上げ、掛止部材２２Ｂを取付孔部２２Ａから取り外してそのまま降下させれば、支持部材４上端の掛止部５が支持部Ｃ上に載置されるところまでケーシング２および膜モジュール３が原水Ｗ中に再び浸漬されるので、膜分離活性汚泥法等における原水Ｗの濾過を再開することができる。
【００２７】
このように、上記第２の参考例および第２の実施形態によれば、濾過ユニット２１，３１を原水Ｗから完全に引き上げて貯水槽Ａから搬出せずとも、ケーシング２上側開口部からの作業が可能であり、作業の時間短縮および効率化を図ることができる。そして、第２の実施形態のように支持部材４の懸架部６を第１、第２の懸架部６Ａ，６Ｂにより構成して第２懸架部６Ｂをケーシング２上側開口部上から離れるように回動可能に設ければ、より作業性が向上して一層の作業の効率化を促すことができる。
【００２８】
なお、これら第２の参考例および第２の実施形態では第２掛止部２２を、上述のように支持部材４に形成される取付孔部２２Ａに掛止部材２２Ｂを挿脱可能に嵌め込むことにより配設可能としているが、例えば支持部材４の懸架部６または第１懸架部６Ａ自体に掛止部材を出没可能に埋設するなどして配設し、上記作業を行うときには該掛止部材を突出させて濾過ユニット２１，３１を支持し、また膜濾過を行うときには掛止部材を収納してケーシング２および膜モジュール３を原水Ｗ中に浸漬させるようにしてもよい。また、ケーシング２自体に十分な剛性が確保されていれば、このような第２掛止部はケーシング２の支持部Ｃ側を向く側面に配設可能とされていてもよい。
【００２９】
さらに、上記第１、第２の参考例および実施形態では、支持部材４が貯水槽Ａ上に渡された支持部Ｃに掛止されてケーシング２を原水Ｗ中に懸架しているが、貯水槽Ａや濾過ユニット１，１１，２１，３１の大きさ等によっては、掛止部５や第２掛止部２２の長さを長くするなどして、これら掛止部５や第２掛止部２２を貯水槽Ａの開口縁部Ｂに直接載置することにより掛止してケーシング２を原水Ｗ中に懸架して支持するようにしてもよい。また、このような場合や、あるいは第１、第２の参考例および実施形態のように支持部Ｃを介して懸架する場合でも、上記掛止部５は、例えば隣接する２つの支持部材４同士でその懸架部６の上端同士に掛け渡された横梁状とされて、その両端が上記長方形の長辺方向や短辺方向に突出して開口縁部Ｂや支持部Ｃに掛止されるようになされていてもよい。このとき、懸架部６の第２懸架部６Ｂが回動可能とされた第２の参考例および第２の実施形態では、同じ方向に回動する第２懸架部６Ｂ同士の上端（先端）に掛止部５を横梁状に掛け渡せばよい。
【図面の簡単な説明】
【００３０】
【図１】本発明の第１の実施形態を説明する上での第１の参考例の濾過ユニット１を示す斜視図である。
【図２】図１に示す参考例を支持部Ｃに掛止した状態を示す斜視図（貯水槽Ａは図示略）である。
【図３】図１に示す参考例を貯水槽Ａに設置した状態（左側）、および貯水槽Ａから搬出した状態（右側）を示す断面図である。
【図４】本発明の第１の実施形態の濾過ユニット１１を示す斜視図である。
【図５】本発明の第２の実施形態を説明する上での第２の参考例の濾過ユニット２１を、第２掛止部２２によって支持部Ｃに掛止した状態を示す斜視図（貯水槽Ａは図示略）である。
【図６】図５に示す参考例を、第２掛止部２２によって支持部Ｃに掛止した状態を示す断面図である。
【図７】本発明の第２の実施形態の濾過ユニット３１を、第２掛止部２２によって支持部Ｃに掛止した状態を示す斜視図（貯水槽Ａは図示略）である。
【符号の説明】
【００３１】
１，１１，２１，３１  濾過ユニット
２  ケーシング
３  膜モジュール
４  支持部材
５  掛止部
６  懸架部
６Ａ  第１懸架部
６Ｂ  第２懸架部
１２  ピン
２２  第２掛止部
２２Ａ  取付孔部
２２Ｂ  掛止部材
Ａ  貯水槽
Ｂ  貯水槽Ａの開口縁部
Ｃ  支持部材
Ｗ  原水
【図１】
0004657906.tif 000002
【図２】
0004657906.tif 000003
【図３】
0004657906.tif 000004
【図４】
0004657906.tif 000005
【図５】
0004657906.tif 000006
【図６】
0004657906.tif 000007
【図７】
0004657906.tif 000008